(57)【要約】本発明は、ヒトＣＡＲＰタンパク質またはＣＡＲＰ　ＤＮＡ／ｍＲＮＡを阻害すると、心臓病、特にヒト心不全をうまく治療するという新しい発見に関する。したがって、本発明は、心臓ＣＡＲＰの活性に影響を及ぼす、好ましくは低分子量の物質を含有する医薬組成物に関する。さらに、本発明は、ＣＡＲＰ阻害化合物を使用した心不全の治療方法、これらの阻害剤をスクリーニングする方法および診断手段としてのＣＡＲＰの使用に関する。【特許請求の範囲】
【請求項１】
心臓疾患治療に使用できる薬剤を製造するためのＣＡＲＰ蛋白質またはＣＡＲＰ　ｍＲＮＡの阻害剤またはアンタゴニストの使用。
【請求項２】
心臓疾患が心不全または心臓肥大である請求項１に記載の使用。
【請求項３】
心臓肥大がイソプレナリンまたはフェニレフリンによって誘導された請求項２に記載の使用。
【請求項４】
阻害剤がＣＡＲＰ蛋白質および／またはＣＡＲＰ　ｍＲＮＡに結合できる請求項１から３のいずれかに記載の使用。
【請求項５】
ＣＡＲＰ蛋白質がＹＢ−１に結合するのを阻害剤が妨害する請求項１から３のいずれかに記載の使用。
【請求項６】
ＣＡＲＰ／ＹＢ−１複合体がＨＦ−１ａ／ＨＦ１−ｂ／Ｍｅｆ−２ＤＮＡ要素に結合するのを阻害剤が妨害する請求項１から３のいずれかに記載の使用。
【請求項７】
ＣＡＲＰ蛋白質が心臓由来のＡＮＦまたはＴＮＣをダウンレギュレートするのを阻害剤が妨害する請求項１から３のいずれかに記載の使用。
【請求項８】
阻害剤が心臓でのＡＮＦの発現および／または分泌を促進することができる請求項１から３のいずれかに記載の使用。
【請求項９】
以下の生物学的特徴であって、
（ｉ）ＣＡＲＰ蛋白質および／またはＣＡＲＰ　ｍＲＮＡの阻害、
（ｉｉ）ＣＡＲＰ蛋白質および／またはＣＡＲＰ　ｍＲＮＡとの結合、
（ｉｉｉ）ＣＡＲＰのＹＢ−１との結合、またはＣＡＲＰ／ＹＢ−１複合体のＦ−１ａ／ＨＦ１−ｂ／Ｍｅｆ−２ＤＮＡ要素との結合の妨害、
（ｉｖ）ＣＡＲＰ蛋白質による心臓ＡＮＦまたはＴＮＣのダウンレギュレーションの妨害、
（ｖ）心臓でのＡＮＦの発現および／または分泌の促進、
の少なくとも１つの特性を有する物質を含む心臓疾患治療用に適用可能な医薬組成物。
【請求項１０】
ＣＡＲＰまたはＣＡＲＰ発現をブロックまたは阻害する物質をスクリーニングするためのＣＡＲＰ蛋白質またはＣＡＲＰ　ｍＲＮＡ／ＤＮＡの使用。
【請求項１１】
アルファ−ミオシン重鎖ｍＲＮＡ発現の負の制御因子としてのＣＡＲＰ蛋白質またはＣＡＲＰ　ｍＲＮＡ／ＤＮＡの使用。
【請求項１２】
ＣＡＲＰ蛋白質および／またはＣＡＲＰ　ｍＲＮＡの阻害剤のスクリーニング方法であって、以下の段階を含む方法。
（ｉ）完全長ヒトＣＡＲＰ　ｃＤＮＡとともに強力なプロモーターおよび選択マーカーを含む第１発現ベクターを構築する段階、
（ｉｉ）ＨＦ−１ａ／ＨＦ１ｂ／Ｍｅｆ−２の制御下にあるレポーター遺伝子とともに第１発現ベクターとは異なる選択マーカーを含む第２発現ベクターを構築する段階、
（ｉｉｉ）前記第１および前記第２発現ベクターを適切な真核細胞株にトランスフェクションする段階、および
（ｉｖ）ＣＡＲＰ蛋白質およびＣＡＲＰ活性の指標となるレポーター遺伝子産物を発現するトランスフェクションした細胞を前記阻害剤とともに培養して、該レポーター遺伝子産物の活性減少を測定する段階。
【請求項１３】
ＣＡＲＰあるいはＣＡＲＰの生物学的特性を有するＣＡＲＰの修飾体または変異体の、心不全などの心臓障害をｉｎ　ｖｉｔｒｏで検出する診断手段としての使用。
【請求項１４】
心臓疾患を治療する方法であって、心不全の患者に請求項９で記載した医薬組成物を特定の心臓疾患に有効な量で投与することを含む方法。
【発明の詳細な説明】
【０００１】
本発明は、ヒトＣＡＲＰタンパク質またはＣＡＲＰ　ＤＮＡ／ＲＮＡを阻害することにより、心臓病、特にヒト心不全をうまく治療するという新しい発見に関する。したがって、本発明は、心臓ＣＡＲＰの活性に影響を及ぼす、好ましくは低分子量の物質を含有する医薬組成物に関する。さらに、本発明は、ＣＡＲＰ阻害化合物を使用した心不全の治療方法、これらの阻害剤をスクリーニングする方法および診断手段としてのＣＡＲＰの使用に関する。
【０００２】
（発明の背景）
主に心筋細胞に発現する核蛋白質であるヒトＣＡＲＰ（心臓限定アンキリンリピート蛋白質（ｃａｒｄｉａｃ−ｒｅｓｔｒｉｃｔｅｄ　ａｎｋｙｒｉｎ　ｒｅｐｅａｔ　ｐｒｏｔｅｉｎ））は、ヒト内皮細胞をインターロイキン−１αまたはＴＮＦ−αで誘導すると強くアップレギュレートされるｍＲＮＡとして、１９９５年にＣｈｕ、Ｗ．等によって最初に検出された（Ｔｈｅ　Ｊｏｕｒｎａｌ　ｏｆ　Ｂｉｏｌｏｇｉｃａｌ　Ｃｈｅｍｉｓｔｒｙ　２７０、１０２３６〜１０２４５）。この著者らは、ＣＡＲＰは分子量３６０００の核局在性蛋白質であり、この蛋白質はＤＮＡに結合して転写因子として作用できることを示した。ＣＡＲＰは、起源の異なる様々な細胞（上皮細胞、膀胱癌細胞、繊維芽細胞、メラノーマ細胞、および造血系由来の細胞）では発現しないことがわかった。しかし、繊維芽細胞では、細胞をＴＮＦ−αで処理することによってＣＡＲＰ　ｍＲＮＡの発現も誘導される。
【０００３】
のち、Ｚｏｕ等は、１９９７年に心臓特異的転写因子を研究中に、ラットのＣＡＲＰ相同体を同定した（Ｄｅｖｅｌｏｐｍｅｎｔ　１２４、７９３−８０４）。彼らは既に、遺伝子（ＨＦ−１ａ／ＭＥＦ−２）を心室特異的に発現させるプロモーター要素およびこの要素に結合する遍在性転写因子、ＹＢ−１を同定している。彼らは、酵母のツーハイブリッドスクリーニングでＹＢ−１を餌（ｂａｉｔ）として使用してＣＡＲＰを発見した。その後、ＣＡＲＰ　ｍＲＮＡの発現は非常に限定されており、心臓において最も際立っていることを示した。多くの実験で、ＣＡＲＰおよびＹＢ−１はｉｎ　ｖｉｖｏでは物理的に二量体を形成することが示された。さらに、ＣＡＲＰ自身はＮＫｘ２．５ホメオボックス遺伝子によって調節されることがわかった。心筋細胞並びに非心筋細胞において、ＨＦ−１ａ要素に制御されている遺伝子をＣＡＲＰがダウンレギュレートすることがコトランスフェクション実験によって示された（Ｒｏｓｓ，Ｒ．Ｓ．ｅｔ　ａｌ．、１９９６、Ｄｅｖｅｌｏｐｍｅｎｔ　１２２、１７９９−１８０９）。Ｊｅｙａｓｅｅｌａｎ等は、心臓由来および心臓以外由来の細胞におけるＡＮＦプロモーターおよびｃＴＮＣプロモーターによる転写はＣＡＲＰによってダウンレギュレートできることを１９９７年に発見した（Ｔｈｅ　Ｊｏｕｒｎａｌ　ｏｆ　Ｂｉｏｌｏｇｉｃａｌ　Ｃｈｅｍｉｓｔｒｙ　２７２、２２８００−２２８０８）。ＡＮＦプロモーターに関して、このプロモーターによる転写を強く誘導するＮｋＸ２．５遺伝子のアンタゴニストしてＣＡＲＰは作用することが示された。
【０００４】
Ｂａｕｍｅｉｓｔｅｒ等は、除神経によって骨格筋において強く誘導される蛋白質としてＣＡＲＰを発見した（Ｔｈｅ　Ｊｏｕｒｎａｌ　ｏｆ　Ｃｅｌｌ　Ｂｉｏｌｏｇｙ　１３９、１２３１−１２４２）。さらに彼らは、ＣＡＲＰがＭＬＰ欠損（筋肉ＬＩＭ蛋白質）マウスの心臓でアップレギュレートされていることを示した。これらのマウスは拡張型心筋症および肥大を示す。彼らは、ＣＡＲＰが極初期遺伝子ではなかろうかと推測した。ラット、マウスおよびヒトのｍＲＮＡは３’ＵＴＲにＡＴＴＴＡ分解モチーフを有し、この蛋白質には迅速に分解する蛋白質の特徴であるＰＥＳＴ様配列がある。しかし、除神経された筋肉では、ＣＡＲＰ発現は少なくとも７日間（最長試験期間）増加する。
【０００５】
ＣＡＲＰはドキソルビシンで処理した動物（ウサギおよびラット、Ａｉｈａｒａ，Ｙ．ｅｔ　ａｌ．、１９９９、Ｂｉｏｃｈｉｍｉｃａ　ｅｔ　Ｂｉｏｐｈｙｓｉｃａ　Ａｃｔａ　１４４７、３１８〜３２４）の心臓ではアップレギュレートされているので、ＣＡＲＰがこの病理において役割を果たしていることがわかった。Ｋｕｏ等は１９９９年に心臓肥大モデルマウス（大動脈弓狭窄）を使用して、ＣＡＲＰ　ｍＲＮＡが術後４日目および７日目に強く誘導されることを発見した（Ｄｅｖｅｌｏｐｍｅｎｔ　１２６、４２２３〜４２３４）。彼らはまた、ＡＮＦ　ｍＲＮＡもまた上昇することを示した。この発見は、ＣＡＲＰがＡＮＦプロモーターによる転写をダウンレギュレートすることを発見したＪｅｙａｓｅｅｌａｎ等（前記引用文献中）の発見と多少矛盾している。これは、（ｉ）ＣＡＲＰおよびＡＮＦの転写は器官の異なる細胞で上昇することによるか、または（ｉｉ）Ｊｅｙａｓｅｅｌａｎ等が使用したＡＮＦプロモーター（７００ｂｐ）がＡＮＦｍＲＮＡ発現を制御する遺伝子要素のすべては含有していなかったことによるか、または（ｉｉｉ）ＣＡＲＰによるＡＮＦ　ｍＲＮＡ発現の阻害がさらに未知の機構によって解除されることによる可能性がある。
【０００６】
（発明の一般的説明）
本発明は、いくつかの心臓病理モデルにおいてＣＡＲＰ　ｍＲＮＡの発現が上昇しており、このことはヒトの病理にも適用されるという発見を証明する実験を開示する。ＣＡＲＰ　ｍＲＮＡに加えて、ＣＡＲＰ蛋白質もまた、健康な対照心臓と比較してアップレギュレートされていることがまず示された。したがって、ＣＡＲＰがヒト心臓の病理学的症状において役割を担っていることははっきりしている。ＣＡＲＰ発現の上昇が疾患の原因であるか、または病理学的状態に応答した細胞の適応過程であるかについてはさらに証明しなければならない。
【０００７】
ヒトの心不全並びに動物の心不全および心臓肥大モデルでは、たとえば筋原繊維蛋白質の胚型が発現しており、成人型と置換しているという報告が数多くなされている。ＣＡＲＰは、ｃＴＮＴのような収縮蛋白質の胎児型から成人型への転換を制御する役割を果たしていることが知られている。ＣＡＲＰは成人型の発現を阻害する転写抑制因子である。さらに、ＣＡＲＰは、心不全後期の特徴でもあるＡＮＦの発現を阻害することが報告されている。
【０００８】
繊維芽細胞におけるＣＡＲＰの役割は、より詳細な調査をするべきである。Ｊｅｙｓｅｅｌａｎ等（前記引用）は、ＣＡＲＰ　ｍＲＮＡが心臓の繊維芽細胞では発現しておらず、ＴＮＦ−αまたはＬＰＳで処理してもこれらの細胞では誘導されないと主張している。反対に、ＣＡＲＰは繊維芽細胞株ＭＲＣ−５では発現してないが、これらの細胞をＴＮＦ−αに曝露すると容易に誘導されることが報告された。正常ラットの心臓細胞におけるＣＡＲＰ　ｍＲＮＡの分布を明らかにするために、予備実験がいくつか実施された。ＣＡＲＰアンチセンスｃＲＮＡを使用した我々のｉｎ　ｓｉｔｕハイブリダイゼーションの結果によると、繊維芽細胞のような細胞では発現するが心筋細胞では発現しないことが示された。このことは報告されたほとんどのデータと明らかに異なっており、より詳細に分析する必要がある。
【０００９】
ＣＡＲＰ機能を阻害すると収縮性蛋白質ｍＲＮＡを成人表現型に戻すのに役立ち、ＡＮＦ蛋白質発現の増加にもまた役立つものと考えられる。これらの遺伝子の制御に関与するＹＢ−１などの他の転写因子とは対照的に、ＣＡＲＰはほとんど心臓に発現しており、その他の組織、すなわち骨格筋ではほんのわずかな量しか発現していない。このことから、副作用は認められたとしてもほんのわずかと思われるので、ＣＡＲＰに対する薬理学的処置は非常に魅力的である。
【００１０】
本発明は、心臓肥大を引き起こすことが知られている慢性的ベータアドレナリン刺激によって、イン・ビボ（ｉｎ　ｖｉｖｏ）およびイン・ビトロ（ｉｎ　ｖｉｔｒｏ）におけるＣＡＲＰの発現が変化するかどうかを研究した。変化する場合は、心臓疾患の治療に使用可能な薬物を製造するためにＣＡＲＰ蛋白質またはＣＡＲＰ　ｍＲＮＡの阻害剤を提供することが本発明の一目的である。
【００１１】
本発明は、ヒト心不全においてＣＡＲＰが著しくアップレギュレートされることを示す。本発明によるｉｎ　ｖｉｔｒｏおよびｉｎ　ｖｉｖｏの研究では、ＣＡＲＰはアルファＭＨＣ遺伝子発現に対する負の抑制因子として働く。ヒトの心不全では、ＣＡＲＰ濃度の増加は遺伝子発現および収縮機能の変化の一因となる可能性がある。ＣＡＲＰは、ｉｎ　ｖｉｖｏではＩＳＯで誘導された心臓肥大の最中に増加し、ｉｎ　ｖｉｔｒｏでは心筋細胞のベータアドレナリン受容体の直接刺激によって増加する。このシグナル伝達過程にはＥＲＫ／ｐ４２／ｐ４４ＭＡＰキナーゼ経路が関与しているようである。
【００１２】
したがって、本発明の目的は心臓疾患、好ましくは心不全または心臓肥大の治療に使用できるＣＡＲＰの阻害剤を提供することである。ＣＡＲＰ発現のブロックに適したこれらの阻害剤の１つは、ＥＲＫ阻害剤ファミリー（たとえば、Ｕ０１２６）である。
【００１３】
詳細には、本発明は以下の点について開示する：
・心臓疾患の治療に使用できる薬物を製造するためのＣＡＲＰ蛋白質またはＣＡＲＰ　ｍＲＮＡの阻害剤またはアンタゴニストの使用、
・心臓疾患が心不全または心臓肥大である対応する使用、
・心臓肥大がイソプレナリンまたはフェニレフリンによって誘導される場合の対応する使用、
・阻害剤がＣＡＲＰ蛋白質および／またはＣＡＲＰ　ｍＲＮＡに結合できる場合の対応する使用、。
【００１４】
・ＣＡＲＰ蛋白質がＹＢ−１に結合するのを阻害剤が妨害する場合の対応する使用、
・ＣＡＲＰ／ＹＢ−１複合体がＨＦ−１ａ／ＨＦ１−ｂ／Ｍｅｆ−２ＤＮＡ要素に結合するのを阻害剤が妨害する場合の対応する使用、
・ＣＡＲＰが心臓由来のＡＮＦまたはＴＮＣをダウンレギュレートするのを阻害剤が妨害する場合の対応する使用、
・阻害剤が心臓でのＡＮＦの発現および／または分泌を促進することができる場合の対応する使用、。
【００１５】
・以下の生物学的特徴、
（ｉ）ＣＡＲＰ蛋白質および／またはＣＡＲＰ　ｍＲＮＡの阻害、
（ｉｉ）ＣＡＲＰ蛋白質および／またはＣＡＲＰ　ｍＲＮＡへの結合、
（ｉｉｉ）ＣＡＲＰのＹＢ−１への結合、またはＣＡＲＰ／ＹＢ−１複合体のＨＦ−１ａ／ＨＦ１−ｂ／Ｍｅｆ−２ＤＮＡ要素への結合の妨害、
（ｉｖ）ＣＡＲＰ蛋白質による心臓ＡＮＦまたはＴＮＣのダウンレギュレートの妨害、
（ｖ）心臓でのＡＮＦの発現および／または分泌の促進、
の少なくとも１つの特徴を有する物質を含む心臓疾患治療用に使用することができる医薬組成物、
・ＣＡＲＰまたはＣＡＲＰ発現をブロックまたは阻害する物質をスクリーニングするためのＣＡＲＰ蛋白質またはＣＡＲＰ　ｍＲＮＡ／ＤＮＡの使用、
・アルファ−ミオシン重鎖ｍＲＮＡ発現の負の制御因子としてのＣＡＲＰ蛋白質またはＣＡＲＰ　ｍＲＮＡ／ＤＮＡの使用、。
【００１６】
・ＣＡＲＰ蛋白質および／またはＣＡＲＰ　ｍＲＮＡの阻害剤のスクリーニング方法であって、以下の段階を含む方法
（ｉ）完全長ヒトＣＡＲＰ　ｃＤＮＡとともに強力なプロモーターおよび選択マーカーを含む第１発現ベクターを構築する段階、
（ｉｉ）ＨＦ−１ａ／ＨＦ１ｂ／Ｍｅｆ−２の制御下にあるレポーター遺伝子とともに第１発現ベクターとは異なる選択マーカーを含む第２発現ベクターを構築する段階、
（ｉｉｉ）前記第１および前記第２発現ベクターを適切な真核細胞株にトランスフェクションする段階、および
（ｉｖ）ＣＡＲＰ蛋白質およびＣＡＲＰ活性の指標となるレポーター遺伝子産物を発現するトランスフェクト細胞を阻害剤とともに培養して、前記レポーター遺伝子産物の活性減少を測定する段階、
・ＣＡＲＰおよびＣＡＲＰの生物学的特性を有するＣＡＲＰの修飾体または変異体を心不全などの心臓疾患のｉｎ　ｖｉｔｒｏで検出する診断手段としての使用、および最後に、
・心臓疾患を治療する方法であって、心不全の患者に前述の医薬組成物を特定の心臓疾患、好ましくは心不全および心臓肥大に有効な量で投与することを含む方法。
【００１７】
以下の実施例で本発明をより詳細に説明する。
【００１８】
実施例１：ノーザンブロット
ＣＡＲＰはヒトの病理においても役割を担っているものと考えられている。ヒト心臓におけるＣＡＲＰ　ｍＲＮＡの発現を分析するために、ＣＡＲＰ　ｃＤＮＡを使用したノーザンブロットを実施した。ノーザンブロット用のｍＲＮＡは、突発性拡張型心筋症（ＤＣＭ、ｎ＝１１）または虚血性心筋症（ＩＣＭ、ｎ＝１２）による慢性的心不全（ＮＹＨＡ　ＩＩＩ〜ＩＶ段階）の患者のヒト心臓から得た。対照として、欠陥のないドナーの心臓を使用した（ｎ＝１１）。ノーザンブロットはＧＡＰＤＨの分析によって正規化した。
【００１９】
結果（任意の単位）：
【００２０】
【表１】
2004508326.tif 000002
【００２１】
これらの結果は明らかに、ＣＡＲＰ　ｍＲＮＡがＤＣＭまたはＩＣＭの患者の心臓で有意にアップレギュレートされていることを示している。
【００２２】
実施例２：抗体産生
まず、免疫用に組換えＣＡＲＰを生成した。この目的のために、ＣＡＲＰ　ｍＲＮＡを誘導性Ｅ．ｃｏｌｉ発現ベクターに挿入した。その封入体から、ＣＡＲＰを１〜５Ｍのグアニジン−ＨＣｌで可溶化して、数段階のクロマトグラフィーによってＣＡＲＰ蛋白質を精製した。最後に、ＰＢＳに対して透析することによってグアニジン−ＨＣｌを除去した。ＣＡＲＰ蛋白質を使用してウサギ２匹を免疫化した。これらの動物からＣＡＲＰ抗血清を集め、その活性を調べた。抗血清をＥＬＩＳＡアッセイによって分析したところ、ＣＡＲＰに対して妥当な力価の抗体を有することがわかった。
【００２３】
この抗体はまた、精製したＣＡＲＰとヒトおよびラット心臓の蛋白質抽出物を使用したウェスタンブロットによって試験した。試料蛋白質をＤＴＴで還元して、その後０．５Ｍヨードアセトアミドとインキュベーションすることによってカルボキシメチル化しなければならないことがわかった。ＣＡＲＰは分子間および分子内で共有結合を形成する傾向が強いシステイン残基をいくつか有するので、このことが必要であった。これが原因となって２量体および４量体が形成され、ゲル電気泳動中およびウェスタンブロット実験中に多数のバンドが検出されるようになる。この試料に前記の処理を施すと、ウェスタンブロットでは約３５ｋＤａの単一のバンドが検出される。この大きさは、ＣＡＲＰのアミノ酸配列から算出された大きさと一致する。
【００２４】
実施例３：正常組織および疾患組織におけるＣＡＲＰ蛋白質発現の免疫学的分析
次に、ＣＡＲＰ蛋白質の発現を分析して、蛋白質濃度が上昇したＣＡＲＰ　ｍＲＮＡ濃度を反映していることを示した。この目的のために、ヒトの欠陥のない心臓、ＤＣＭおよびＩＣＭの心臓から得られた蛋白質試料を分析した。ウェスタンブロットは、カルセケストリンの分析値によって正規化した。以下の結果が得られた。
【００２５】
【表２】
2004508326.tif 000003
【００２６】
これらの結果から、ＣＡＲＰ蛋白質は病的なヒト心臓においても上昇することが明らかに示された。さらに、対照の心臓と比較すると、蛋白質はＣＡＲＰ　ｍＲＮＡよりもさらに上昇している。これは蛋白質よりもｍＲＮＡの代謝回転率が高いことによるものだろう。
【００２７】
実施例４：診断手段としてのＣＡＲＰ誘導手段の使用
ＣＡＲＰ　ｃＤＮＡ／ｃＲＮＡ
ＣＡＲＰ　ｃＤＮＡおよび／またはｃＲＮＡは、心臓にリスクのある患者から得られた心臓生検におけるＣＡＲＰ　ｍＲＮＡ濃度の上昇を検出するために使用することができる。ＣＡＲＰ発現状態はまた、移植用に使用するヒト心臓の心臓健康状態を分析するために使用することができる。ＣＡＲＰ　ｍＲＮＡ濃度は、ノーザンブロット法、ドットブロット法、リボヌクレアーゼ保護法または分析組織から得られた標的ＲＮＡに対するＣＡＲＰ　ｃＤＮＡまたはｃＲＮＡのハイブリダイゼーションによる同様の方法などの方法に基づいたハイブリダイゼーションによって測定することができる。
【００２８】
ＣＡＲＰ抗体
ヒトの由来の組み換えＣＡＲＰに対する抗体は、診断目的にも使用することができる。心臓にリスクのある患者から得られた生検におけるＣＡＲＰ蛋白質の量は、ＥＬＩＳＡ、ＲＩＡ、ウェスタンブロットまたは同様の技術によって測定することができる。ＣＡＲＰ蛋白質の濃度の上昇によって、分析した心臓の病的状態を示すことができる。さらに、移植が計画されている心臓はまた、この項で説明した抗体に基づいた方法のいずれかによってその状態を分析することができる。
【００２９】
ＣＡＲＰ　ＰＣＲ
ＣＡＲＰ　ｍＲＮＡ定量用のＰＣＲをベースとした方法に使用できるプライマーの設計に、配列から得られたＣＡＲＰ　ｃＤＮＡを使用できる。心不全のリスクがある患者の心臓から得られた生検におけるＣＡＲＰ　ｍＲＮＡの定量は、心不全に関連する変更された遺伝子発現を検出するための診断手段として使用することができる。この方法はまた、移植に使用する心臓に適用することができる。
【００３０】
実施例５：ＣＡＲＰ阻害物質のスクリーニング
・安定トランスフェクションアッセイ：ヒトＣＡＲＰの生物作用を妨害する化合物のスクリーニング用細胞株を構築するための、ヒトＣＡＲＰ　ｃＤＮＡの使用。このようなアッセイは以下の通りに設定することができる。ネオマイシン、ゼオシン、ハイグロマイシン、またはその他の組換え細胞選択用物質のような選択マーカーを備えた（ＳＶ４０、ＣＭＶ、または誘導性プロモーター（たとえば、ｔｅｔ　ｏｎ−ｏｆｆシステム）などの強力なプロモーターの制御下にある）適切な真核細胞発現ベクターに完全長ヒトＣＡＲＰ　ｃＤＮＡを挿入する。この発現ベクターを標準的方法によって細胞株ｈ９ｃ２にトランスフェクションして、抗生物質を添加することによって安定な細胞株を選択する。この方法で、モノクローナルまたはポリクローナル細胞株が選択される。次に、ルシフェラーゼ、β−ガラクトシダーゼ、アルカリホスファターゼなどのレポーター遺伝子またはＲｏｓｓ等ＶＩＩによって記載されたようなＨＦ−１ａ／ＨＦ１−ｂ／Ｍｅｆ−２によって制御された類似の容易に検出可能な遺伝子を含有する真核細胞発現プラスミドをこの細胞株にトランスフェクションする。この第２プラスミドは、ＣＡＲＰ細胞株を構築するために使用したものとは異なる選択マーカーを含有していなければならない。この方法で、２種類の遺伝子を含有する細胞株を構築する。１種の遺伝子がＣＡＲＰを構造的に発現し、第２の遺伝子がＣＡＲＰの活性を検出するレポーター遺伝子である。この細胞株は、ＣＡＲＰの活性を妨害する試験物質を検出するために使用される。この目的のために、この細胞株を適切なＭＴＰプレートで増殖させ、試験物質を添加する。６〜１２時間インキュベーションした後、ＣＡＲＰの生物学的活性を妨害する物質をレポーター遺伝子の活性を測定することによって検出することができる。物質の活性がＣＡＲＰの作用を妨害するとき、シグナルの減少が測定される。
【００３１】
・安定なトランスフェクションのアッセイ：セクション１で使用したプラスミドをまた、他の標準的な細胞株、たとえばＣＯＳ−１、ＣＯＳ−７、ＨＥＫ２９３、ＨＥＫ２９３ＥＢＮＡ、ＣＨＯ、ＢＨＫ、ＨｅＬＡまたはｃＤＮＡ類発現用の同様の細胞株において使用できる。
【００３２】
・一時的なトランスフェクションのアッセイ：セクション１およびセクション２で説明したアッセイを次のように少し変えて使用することができる。ＣＡＲＰおよびレポーター遺伝子を有するプラスミド類を混合して、標準的技法を使用してセクション１およびセクション２で説明した細胞株にトランスフェクションする。試験物質を添加して、２４〜７２時間後にレポーター遺伝子の活性を測定する。未処理の対照細胞と比較して、レポーター遺伝子の活性が低ければＣＡＲＰ活性を妨害する物質を検出することができる。
【００３３】
・ＣＡＲＰ−ＹＢ−１結合アッセイ（ｉ）：ＣＡＲＰは遍在性転写因子ＹＢ−１と相互作用することが知られている。ＹＢ−１をコードする完全長または部分ｃＤＮＡをベクターに挿入して、Ｎ末端またはＣ末端にＨｉｓタグまたはＧＳＴ蛋白質を有するＹＢ−１を発現させる。組換え融合蛋白質の検出および／または精製を可能にする他の遺伝子またはアミノ酸配列もまた使用することができる。この融合蛋白質をＥ．ｃｏｌｉまたはバキュロウイルス／Ｓｆ９系、またはｉｎ　ｖｉｔｒｏ翻訳系において発現させる。次に、精製または粗融合蛋白質を使用したタグに応じた適切なマトリックスに結合させる。試験物質を添加して、ＹＢ−１に結合させる。精製したＣＡＲＰを添加して、このＹＢ−１融合蛋白質に結合させる。未結合ＣＡＲＰを洗浄して、残存するＣＡＲＰをヒト組換えＣＡＲＰに対する抗体を使用して検出する。ＣＡＲＰのＹＢ−１への結合を妨害する試験物質は、シグナルの低さによって検出する。
【００３４】
・ＣＡＲＰ−ＹＢ−１結合アッセイ（ｉｉ）：ＣＡＲＰおよびＹＢ−１を酵母のツーハイブリッドスクリーニングに使用することができる。ＣＡＲＰをＤＮＡ結合ドメイン結合蛋白質の構築に、およびＹＢ−１をトランス活性化ドメイン融合蛋白質の構築に使用するか、またはその逆に使用する。標準的な市販の酵母ツーハイブリッドシステムを使用できる。組換え酵母株を構築した後、試験物質のＹＢ−１／ＣＡＲＰ相互反応の妨害についてスクリーニングすることができる。
【００３５】
・ＣＡＲＰ−ＹＢ−１結合アッセイ（ｉｉｉ）：ＣＡＲＰおよびＹＢ−１をほ乳類のツーハイブリッドスクリーニングに使用することができる。ＣＡＲＰをＤＮＡ結合ドメイン結合蛋白質の構築に、およびＹＢ−１を活性化ドメイン融合蛋白質の構築に使用するか、またはその逆に使用する。標準的な市販のほ乳類ツーハイブリッドシステムが使用できる。組換えほ乳類細胞株を構築した後、試験物質のＹＢ−１／ＣＡＲＰ相互反応の妨害についてスクリーニングすることができる。
【００３６】
・ＣＡＲＰ−ＹＢ−１結合アッセイ（ｖｉ）：組換え体精製ＣＡＲＰおよびＹＢ−１蛋白質を蛋白質−蛋白質相互反応アッセイに使用することができる。この目的のために、２種の蛋白質の１種を反応容器の修飾表面に固定するか、または融合蛋白質として蛋白質が発現したとき、適切なマトリックスに結合することによって固定する。ｍＲＮＡまたはｃＲＮＡのｉｎ　ｖｉｔｒｏ翻訳によって生成したときは、２種の蛋白質のもう１方を１２５Ｉまたは３５Ｓで標識する。標識蛋白質を固定蛋白質とともにインキュベートして、未結合蛋白質を洗浄後、放射活性を測定することによって結合を検出する。２種の蛋白質の結合を妨害する物質を添加したとき、測定される放射活性の量は少ない。別法として、標識蛋白質を蛍光色素で標識して、洗浄後残存する蛍光を測定することによって結合を検出することができる。結合はまた、蛍光偏光度の変化を測定することによって検出することができる。蛋白質はまた、ユーロピウムクリプタートおよび蛍光色素または同様の色素によって標識して、結合現象を蛍光共鳴エネルギー転移（ＦＲＥＴ）で検出することができる。このような種類のアッセイは均一で、洗浄段階を必要としない。結合現象はまた、電気化学発光法によって測定することができる。この目的のために、蛋白質の１種をＨｉｓ（６）またはＧＳＴまたは同種のタグによって磁気ビーズに固定することができる。他方の蛋白質をルテニウムトリス−ビピリジル化合物（Ｒｕ（ｂｐｙ）３２＋）によって標識する。結合は蛋白質複合体を有する磁気ビーズを捕捉した電極上で検出する。
【００３７】
実施例６：ＣＡＲＰの発現および精製
ＣＡＲＰ　ｃＤＮＡは、Ｅ．ｃｏｌｉ、Ｓｆ９細胞、または例えばＩＸなどの標準的文献に記載された真核細胞において蛋白質を発現させるのに適したベクターに挿入することができる。ｃＤＮＡは、Ｈｉｓ（６）、ＧＳＴ、ＦＬＡＧまたは類似のタグによって変更して蛋白質の精製に使用することが可能である。
【００３８】
実施例７：
薬剤開発用の標的遺伝子の同定をねらった差引きハイブリダイゼーション技術によって、イヌの実験的心不全において心臓のアンキリン蛋白質（ＣＡＲＰ）ｍＲＮＡがアップレギュレートされていることが示された。
【００３９】
ここで、欠陥のないドナーの心臓（ＮＦ）および拡張型（ＤＣＭ）または虚血性心筋症（ＩＣＭ）の患者の心臓の心筋におけるＣＡＲＰ発現をノーザンおよびウェスタンブロット分析によって測定した。ｍＲＮＡ濃度（ＣＡＲＰ／ＧＡＰＤＨ　ｍＲＮＡ　ＮＦ：０．７±０．１４、ｎ＝１１、ＤＣＭ：１．２±０．０９、ｎ＝１１、ＩＣＭ：１．１±０．０８、ｎ＝１２）および蛋白質濃度（カルセケストリン発現に対して、ＮＦ：１．０±０．２３、ｎ＝１１、ＤＣＭ：１．８±０．ｌ２、ｎ＝１１、ＩＣＭ：１．８±０．２０、ｎ＝８）は病因に関わりなく心不全の患者の左心室心筋において有意に増加していた。心房心筋では、欠陥のある心臓と欠陥のない心臓（ｎ＝８）の間にＣＡＲＰ発現の有意な差は認められなかった。ＣＡＲＰ機能に対する認識をさらに深めるために、ヒトＣＡＲＰ　ｃＤＮＡを含有するアデノウイルスベクター（Ａｄ．ＣＡＲＰ）を創出した。新生子ラットから単離した心筋細胞にＭＯＩの増加したＡｄ．ＣＡＲＰを感染させると、用量に関連してＣＡＲＰの過剰発現が引き起こされた。ＣＡＲＰがサルコメア蛋白質遺伝子発現の制御因子として働くかという疑問に取り組むために、アクチンおよびミオシン重鎖（ＭＨＣ）アイソフォームのｍＲＮＡ濃度を定量的ＲＴ−ＰＣＲによって測定した。Ａｄ．ＣＡＲＰ（ＭＯＩ　５０）に感染した筋細胞におけるアルファ−ＭＨＣ　ｍＲＮＡ濃度は、対照ウイルスに感染した筋細胞のｍＲＮＡ濃度の２５％に減少していた（ｎ＝１０、ｐ＜０．０５）。
【００４０】
実施例８：
雄のＷｉｓｔａｒラットをイソプレナリン（ＩＳＯ、２．４ｍｇ／ｋｇ／ｄ、Ａｌｚｅｔ　ｍｉｎｉ　ｐｕｍｐ）で４日間処理した。対照にはＮａＣｌを注入した。ＩＳＯで処理したラットは、心臓重量／体重比が４０％増加しており著しい心臓肥大が認められた。ＩＳＯ処理ラットでは、ノーザンブロット分析によって評価したところ、ＣＡＲＰ　ｍＲＮＡ発現が左心室（ＬＶ）心筋層において１４０％増加していた（ＣＡＲＰ　ｍＲＮＡ／ＧＡＰＤＨ　ｍＲＮＡ：ＩＳＯ　３．１±０．５、ｎ＝６、ＮａＣｌ：１．３±０．１２、ｎ＝１１、ｐ＜０．０５）。ウェスタンブロット分析によって、ＣＡＲＰ蛋白質が５０％増加していることが確認された（ＣＡＲＰ／カルセケストリン、ＩＳＯ　０．６１±０．０７、ｎ＝６、ＮａＣｌ：０．４１±０．０３、ｎ＝１０、ｐ＜０．０５）。ＣＡＲＰ発現制御機構に対する認識をさらに深めるために、単離した筋細胞をＩＳＯ（１μＭ）およびフェニレフリン（ＰＥ、５０μＭ）で処理した。対照としてアルファ−アドレナリン受容体アゴニストフェニレフリン（ＰＥ、５０μＭ）の影響を調べた。ＣＡＲＰ蛋白質およびｍＲＮＡ濃度はＩＳＯ（ＣＡＲＰ／ＣＳＱ　対照の１６１±１０％、ｎ＝４、ｐ＜０．０５、ＣＡＲＰ　ｍＲＮＡ／ＧＡＰＤＨ　ｍＲＮＡ　対照の１４８±１０％、ｎ＝９、ｐ＜０．０５）およびＰＥ（ＣＡＲＰ／ＣＳＱ　１７２±７％、ｎ＝４、ｐ＜０．０５、ＣＡＲＰ　ｍＲＮＡ／ＧＡＰＤＨ　ｍＲＮＡ　１７８±２０％、ｎ＝１１、ｐ＜０．０５）によって有意に増加した。ＣＡＲＰ　ｍＲＮＡ発現に対するＩＳＯおよびＰＥの効果は、ＥＲＫ阻害剤Ｕ０１２６（ｐ＜０．０５）によって完全にうち消されたが、ｐ３８キナーゼ阻害剤ＳＢ２０３５８０によってはうち消されなかった。興味深いことに、ＣＡＲＰ　ｍＲＮＡ発現は筋細胞に限定されなかった。ＣＡＲＰ　ｍＲＮＡは、筋細胞以外よりも単離された筋細胞により豊富であった（比６．６：１、ｐ＜０．０５）。
【国際公開パンフレット】
2004508326.tif 000004
2004508326.tif 000005
2004508326.tif 000006
2004508326.tif 000007
2004508326.tif 000008
2004508326.tif 000009
2004508326.tif 000010
2004508326.tif 000011
2004508326.tif 000012
2004508326.tif 000013
2004508326.tif 000014
2004508326.tif 000015
2004508326.tif 000016
2004508326.tif 000017
2004508326.tif 000018
【国際公開パンフレット（コレクトバージョン）】
2004508326.tif 000019
【国際調査報告】
2004508326.tif 000020
2004508326.tif 000021
2004508326.tif 000022